(57)【特許請求の範囲】
【請求項１】
前面に開口を有し、ランプのランプピンに当接する導電接触子を前記開口の内側に有し、前記ランプピンを前記開口の内側に挿入させるランプピン挿入溝を側面から前記開口に連通して形成したソケット本体と、
このソケット本体の前記開口を覆って回転可能に設けられるものであって、略全周側面にわたって略円筒状の壁部を有し、ランプ非装着状態で前記ランプピン挿入溝に整合するランプピン挿通溝を、前記壁部から前面に連続して少なくとも回転子の回転中心を越えた中央部まで形成した回転子とを備え、
前記ランプピンを前記ランプピン挿通溝に挿通した状態で前記ランプピンを前記回転子とともに略９０度回転させて前記ランプピンを前記導電接触子に接触させる回転式ソケットにおいて、
前記回転子の壁部には略９０度間隔で前記ランプピン挿通溝を含む４箇所の残り３箇所に切欠状の係合凹部を設け、前記ソケット本体には前記回転子の回転により前記係合凹部および前記ランプピン挿通溝に嵌まり合う係合凸部を設け、
かつ、前記係合凹部と前記係合凸部との係合状態からの離脱トルクを、前記ランプピンの挿入または離脱となる位置でのトルクがランプ装着位置でのトルク以上となるようにし、
さらに、前記係合凹部の幅がランプピン挿通溝の幅より狭く形成され、前記係合凸部は前記係合凹部の幅に適合させて前記回転子の回転中心に関し対称位置に２箇所形成し、前記回転子の回転中心に関し前記ランプピン挿通溝に対向する前記係合凹部は、前記係合凸部との係合長さが他の前記係合凹部の略２倍であるように形成した回転式ソケット。
【請求項２】
前面に開口を有し、ランプのランプピンに当接する導電接触子を前記開口の内側に有し、前記ランプピンを前記開口の内側に挿入させるランプピン挿入溝を側面から前記開口に連通して形成したソケット本体と、
このソケット本体の前記開口を覆って回転可能に設けられるものであって、略全周側面にわたって略円筒状の壁部を有し、ランプ非装着状態で前記ランプピン挿入溝に整合するランプピン挿通溝を、前記壁部から前面に連続して少なくとも回転子の回転中心を越えた中央部まで形成した回転子とを備え、
前記ランプピンを前記ランプピン挿通溝に挿通した状態で前記ランプピンを前記回転子とともに略９０度回転させて前記ランプピンを前記導電接触子に接触させる回転式ソケットにおいて、
前記回転子の壁部には略９０度間隔で前記ランプピン挿通溝を含む４箇所の残り３箇所に切欠状の係合凹部を設け、前記ソケット本体には前記回転子の回転により前記係合凹部および前記ランプピン挿通溝に嵌まり合う係合凸部を設け、
かつ、前記係合凹部と前記係合凸部との係合状態からの離脱トルクを、前記ランプピンの挿入または離脱となる位置でのトルクがランプ装着位置でのトルク以上となるようにし、
さらに、前記係合凹部の幅が前記ランプピン挿通溝の幅より狭く形成され、前記係合凸部は前記係合凹部の幅に適合させて前記回転子の回転中心に関し対称位置およびそれらの間の一方の３箇所に形成し、前記回転子の回転中心に関し前記ランプピン挿通溝に対向する前記係合凹部は、前記係合凸部との係合長さが他の前記係合凹部の略２倍であるように形成した回転式ソケット。
【発明の詳細な説明】
【０００１】
【発明の属する技術分野】
この発明は、たとえば蛍光灯用照明器具に適用される回転式ソケットに関するものである。
【０００２】
【従来の技術】
従来例を図１９に示す。すなわち、回転子１００の壁部１０１に一定角度間隔でランプピン挿通溝１０２を含む複数の係合凹部１０３を設け、ソケット本体には回転子の係合凹部にはまり合う係合凸部を設けたソケットは知られている（例えば特公昭63-29392号公報）。
【０００３】
【発明が解決しようとする課題】
しかし、回転子１００の係合凹部１０３には弾性変形機能がなく、また回転子１００の回動操作に必要なランプ着脱トルクが係止位置により一定でないという欠点があった。
したがって、この発明の目的は、ランプ着脱位置が回転子の回動操作を利用したクリック止め機構により、操作感触とクリック音により９０度ごとに確認が容易になる回転式ソケットを提供することである。
【０００４】
【課題を解決するための手段】
請求項１記載の回転式ソケットは、前面に開口を有し、ランプのランプピンに当接する導電接触子を前記開口の内側に有し、前記ランプピンを前記開口の内側に挿入させるランプピン挿入溝を側面から前記開口に連通して形成したソケット本体と、
このソケット本体の前記開口を覆って回転可能に設けられるものであって、略全周側面にわたって略円筒状の壁部を有し、ランプ非装着状態で前記ランプピン挿入溝に整合するランプピン挿通溝を、前記壁部から前面に連続して少なくとも回転子の回転中心を越えた中央部まで形成した回転子とを備え、
前記ランプピンを前記ランプピン挿通溝に挿通した状態で前記ランプピンを前記回転子とともに略９０度回転させて前記ランプピンを前記導電接触子に接触させる回転式ソケットにおいて、
前記回転子の壁部には略９０度間隔で前記ランプピン挿通溝を含む４箇所の残り３箇所に切欠状の係合凹部を設け、前記ソケット本体には前記回転子の回転により前記係合凹部および前記ランプピン挿通溝に嵌まり合う係合凸部を設け、
かつ、前記係合凹部と前記係合凸部との係合状態からの離脱トルクを、前記ランプピンの挿入または離脱となる位置でのトルクがランプ装着位置でのトルク以上となるようにし、
さらに、前記係合凹部の幅がランプピン挿通溝の幅より狭く形成され、前記係合凸部は前記係合凹部の幅に適合させて前記回転子の回転中心に関し対称位置に２箇所形成し、前記回転子の回転中心に関し前記ランプピン挿通溝に対向する前記係合凹部は、前記係合凸部との係合長さが他の前記係合凹部の略２倍であるように形成したものである。
【０００５】
請求項１記載の回転式ソケットによれば、回転子を回してランプピン挿通溝をソケット本体のランプピン挿入溝に整合させると、ランプピンを回転子のランプピン挿通溝内に出し入れすることができる。ランプピンをランプピン挿通溝内の回転装着位置に移動させた後、ランプを回すと回転子も一体に回転する。そのとき、２本のランプピンは回転子のランプピン挿通溝からソケット本体内に突出しているから、導電接触子の接触面に当接しこれを弾性変形させ、同時に係合凸部が回転子の内壁へも弾性的に押付けながら略９０度回転した位置で、係合凸部が回転子の係合凹部を押し広げながら係止する。この係合凸部が係合凹部にはまり込むときに弾性変形状態から係合凸部と回転子の係合凹部が原位置へ復帰する際にクリック音を発生させ、ランプピンは導通状態となる。この係合状態からさらにどちらの方向でも回転させる場合にランプを回転させるために必要な離脱トルクは、ランプピンが導電接触子への接触から離脱するトルクが回転子とソケット本体との係合状態からの離脱トルクに追加されるため、ランプピンの装着トルクよりも大きくなる。そのため、ランプが装着しやすく安定した導通状態を操作感触とクリック音により確認することが容易にできる。
【０００６】
すなわち、回転子の係合凹部の形状を従来の縦溝から変更したことにより、円筒状の壁部の肉厚を薄くすることができ、ソケット本体の係合凸部と同等の弾性変形が可能となすことができるため、係合凹部と係合凸部が嵌合する際のたわみ量を大きくできるので、明快なクリック感触とクリック音を出すことができる。また９０度ごとにランプの着脱位置を設けたことで、従来のように３０度または４５度毎に比べ視覚的にも係止位置の確認が容易になる。
【０００７】
さらにランプの着脱操作において、ランプ装着状態から、ランプを回転させる離脱トルクはソケット本体の係合凸部と回転子の係合凹部の回動操作に必要なトルクと、ランプピンと導電接触子の係合部からの離脱トルクを利用することで、ランプ装着位置での回転トルク以上になるようにでき、ランプが装着しやすく安定した導通状態を得られる。
【００１０】
さらに、前記係合凹部の幅がランプピン挿通溝の幅より狭く形成され、前記係合凸部は前記係合凹部の幅に適合させて前記回転子の回転中心に関し対称位置に２箇所形成し、前記回転子の回転中心に関し前記ランプピン挿通溝に対向する前記係合凹部は、前記係合凸部との係合長さが他の前記係合凹部の略２倍であるように形成したため、ランプピン挿通溝を係合凹部として利用できない場合に、回転子の回動操作に必要なトルクを、略９０度毎のどの係合状態から回転させてもほぼ一定にできる。
請求項２記載の回転式ソケットは、前面に開口を有し、ランプのランプピンに当接する導電接触子を前記開口の内側に有し、前記ランプピンを前記開口の内側に挿入させるランプピン挿入溝を側面から前記開口に連通して形成したソケット本体と、
このソケット本体の前記開口を覆って回転可能に設けられるものであって、略全周側面にわたって略円筒状の壁部を有し、ランプ非装着状態で前記ランプピン挿入溝に整合するランプピン挿通溝を、前記壁部から前面に連続して少なくとも回転子の回転中心を越えた中央部まで形成した回転子とを備え、
前記ランプピンを前記ランプピン挿通溝に挿通した状態で前記ランプピンを前記回転子とともに略９０度回転させて前記ランプピンを前記導電接触子に接触させる回転式ソケットにおいて、
前記回転子の壁部には略９０度間隔で前記ランプピン挿通溝を含む４箇所の残り３箇所に切欠状の係合凹部を設け、前記ソケット本体には前記回転子の回転により前記係合凹部および前記ランプピン挿通溝に嵌まり合う係合凸部を設け、
かつ、前記係合凹部と前記係合凸部との係合状態からの離脱トルクを、前記ランプピンの挿入または離脱となる位置でのトルクがランプ装着位置でのトルク以上となるようにし、
さらに、前記係合凹部の幅が前記ランプピン挿通溝の幅より狭く形成され、前記係合凸部は前記係合凹部の幅に適合させて前記回転子の回転中心に関し対称位置およびそれらの間の一方の３箇所に形成し、前記回転子の回転中心に関し前記ランプピン挿通溝に対向する前記係合凹部は、前記係合凸部との係合長さが他の前記係合凹部の略２倍であるように形成したものである。
【００１１】
請求項２記載の回転式ソケットによれば、請求項１と同様な効果のほか、前記係合凹部の幅が前記ランプピン挿通溝の幅より狭く形成され、前記係合凸部は前記係合凹部の幅に適合させて前記回転子の回転中心に関し対称位置およびそれらの間の一方の３箇所に形成し、前記回転子の回転中心に関し前記ランプピン挿通溝に対向する前記係合凹部は、前記係合凸部との係合長さが他の前記係合凹部の略２倍であるように形成したため、ランプピン挿通溝を係合凹部として利用できない場合に、ランプ着脱位置での回転トルクの変化量を大きくできるからより明確な操作感が得られ、その位置確認が容易になる。
【００１２】
【発明の実施の形態】
この発明の第１の実施の形態を図１から図６により説明する。すなわち、この回転式ソケットは、ソケット本体１と、回転子２とを有する。
ソケット本体１は、前面に開口３を有し、ランプのランプピンＰに当接する導電接触子４を開口３の内側に有し、ランプピンＰを開口３の内側に挿入させるランプピン挿入溝５を側面から開口３に連通して形成している。またソケット本体１には回転子２の係合凹部６に嵌まり合う係合凸部１３を設けている。
【００１３】
実施の形態ではソケット本体１が熱可塑性合成樹脂により形成され、器具本体取付部７と、この器具本体取付部７に取付けられた有底の筒状部８からなり、筒状部８の端部を開口３とし、筒状部８にランプ挿入溝５を形成している。筒状部８の底部中央に割り２３付きの連結用筒部９を設け、その先端の外周縁に外向きつば状の爪部１０を形成している。連結用筒部９の割り２３を挾みランプピン挿入溝５と連結用筒部９を結ぶ方向と直交する方向の周面に、図３に示すように導電接触子４の中間部が当接され、導電接触子４の両端を筒状部８の底部に設けた例えばリブ状の突起等の位置決め部１２により位置決めしている。また筒部９を中心とした半径方向の導電接触子４よりも外方に所定の距離離れた位置およびランプピン挿入溝５と筒部９に関して反対側にそれぞれ回転子２の内周面に摺接する例えばリブとなる円弧板状の突出部１４ａ〜１４ｃを設け、突出部１４ａ、１４ｂの摺接面となる外面にそれぞれ係合凸部１３を設けている。すなわち、係合凸部１３はランプピン挿通溝１１以外の係合凹部６の幅に適合させて回転子２の回転中心に関し対称位置に２箇所形成している。導電接触子４はその中間部の筒部９に当接した位置にランプピンＰを位置決めする凹部４ａを形成している。４ｂは導電接触子４の端子部であり、電線を速結接続する。２２は防水リング用の雄ねじである。
【００１４】
回転子２は、ソケット本体１の開口３を覆って回転可能に設けられるものであって、略全周側面にわたって略円筒状の壁部１９を有し、ランプ非装着状態でランプピン挿入溝５に整合するランプピン挿通溝１１を、壁部１９から前面２ａに連続して少なくとも回転子２の回転中心を越えた中央部まで形成している。回転子２の壁部１９には略９０度間隔でランプピン挿通溝１１を含む４箇所の残り３箇所に係合凹部６、例えば切欠状の係合凹部６を設けている。実施の形態の回転子２は、熱可塑性合成樹脂により形成され、導電接触子４を覆い、前面２ａの中央に筒部９に嵌合する筒部１６を有し、筒部１６の端部内周縁に爪部１０に係合する抜止め部１７を形成して、回転子２をソケット本体１に樹脂弾性を利用して回転自在に取付けている。回転子２を取付けた状態で回転子２の壁部１９の内周面に突出部１４ａ〜１４ｃの外周面が当接し、係合凸部１３により壁部１９を外方に弾性変形させ、回転子２の所定の回転位置で係合凹部６に係合凸部１３が弾性的に係合する。
【００１５】
この実施の形態の回転式ソケットは、ランプピンＰをランプピン挿通溝１１に挿通した状態でランプピンＰを回転子２とともに略９０度回転させてランプピンＰを導電接触子４に接触させる。そしてこのとき、係合凹部６およびランプピン挿通溝１１と係合凸部１３との係合状態からの離脱トルクを、ランプピンＰの挿入または離脱となる位置でのトルクがランプ装着位置でのトルク以上となるようにしている。
【００１６】
この実施の形態によれば、回転子２を回してランプピン挿通溝１１をソケット本体１のランプピン挿入溝５に整合させると、ランプピンＰを回転子２のランプピン挿通溝１１内に出し入れすることができる。ランプピンＰをランプピン挿通溝１１内の回転装着位置に移動させた後、ランプ２１を回すと回転子２も一体に回転する。そのとき、２本のランプピンＰは回転子２のランプピン挿通溝１１からソケット本体１内に突出しているから、導電接触子４の接触面に当接しこれを弾性変形させ、同時に係合凸部１３が回転子２の壁部１９へも弾性的に押付けながら略９０度回転した位置で、ランプピンＰは導電接触子４の係合凹部４ａに入るとともに、係合凸部１３が回転子２の係合凹部６を押し広げながら係止する。この係合凸部１３が係合凹部６およびランプピン挿通溝１１にはまり込むときに壁部１９の弾性変形状態から係合凸部１３と回転子２の係合凹部６またはランプピン挿通溝１１が原位置へ復帰する際にクリック音を発生させ、ランプピンＰは導通状態となる。この係合状態からさらにどちらの方向でもランプピンＰを回転させる場合に、ランプ２１を回転させるために必要な離脱トルクは、ランプピンＰが導電接触子４の係合凹部４ａから離脱するトルクが回転子２とソケット本体１との係合状態からの離脱トルクに追加されるため、ランプピンＰの装着トルクよりも大きくなる。そのため、ランプ２１が装着しやすく安定した導通状態を操作感触とクリック音により確認することが容易にできる。
【００１７】
この場合、回転子２の係合凹部６の形状を従来の縦溝から変更したことにより、円筒状の壁部１９の肉厚を薄くすることができ、ソケット本体１の係合凸部１３のある突出部１４ａ，１４ｂと同等の弾性変形が可能となったため、係合凹部６と係合凸部１３が嵌合する際のたわみ量を大きくできるので、明快なクリック感触とクリック音を出すことができるようになった。
【００１８】
また９０度ごとにランプ２１の着脱位置を設けたことで、従来のように３０度または４５度毎に比べ視覚的にも係止位置の確認が容易になった。
さらにランプ２１の着脱操作において、ランプ装着状態から、ランプ２１を回転させる離脱トルクはソケット本体１の係合凸部１３と回転子２の係合凹部６の回動操作に必要なトルクと、ランプピンＰと導電接触子４の係合部４ａからの離脱トルクを利用することで、ランプ装着位置での回転トルク以上になるようにでき、ランプ２１が装着しやすく安定した導通状態を得られる。
【００１９】
この発明の第２の実施の形態を図７に示す。すなわち、第１の実施の形態において、４箇所に配置した係合凹部６およびランプピン挿通溝１１のうちランプピン挿通溝１１以外のものの幅がランプピン挿通溝１１の幅にほぼ等しく形成されている。
この実施の形態によれば、回転子２の回動操作に必要な回転トルクのうち導電接触子４の係合部４ａより回転させるのに必要なトルクを除いたトルクを略９０度毎のどの係合状態から回転させてもほぼ同じにできる。
【００２０】
その他は第１の実施の形態と同様である。
この発明の第３の実施の形態を図８から図１３に示す。すなわち、第１の実施の形態において、４箇所に配置した回転子２の係合凹部６およびランプピン挿通溝１１のうち、ランプピン挿通溝１１以外のものはその幅がランプピン挿通溝１１の幅より狭く形成され、ソケット本体１の係合凸部１３は回転子２のランプピン挿通溝１１以外の係合凹部６の幅に適合させて、第１の実施の形態と同様に回転子２の回転中心に関し対称位置に２箇所形成し、回転子２の回転中心に関しランプピン挿通溝１１に対向する１箇所の係合凹部６（６ａ）は、係合凸部１３との係合長さが他の係合凹部６の略２倍であるように形成している。実施の形態では、壁部１９の縁部より垂下片１９ａを一体に垂下し、垂下片１９ａと壁部１９とにまたがる切欠状に係合凹部６ａを形成して所定の長さを確保している。
【００２１】
この実施の形態によれば、ランプ挿入位置からランプ装着位置（９０度回転）への回動操作時は、回転子２の２箇所の係合凹部６とソケット本体１の２箇所の係合凸部１３の嵌合状態からの離脱であり、そこからランプ装着位置（９０度回転位置）へ係合する時は、回転子２のランプピン挿通溝１１に対向する係合凹部６ａの１箇所と、ソケット本体１のどちらか一方の係合凸部１３への係合となる。したがって、ランプピン挿通溝１１を係合凹部６として利用できない場合に、回転子２の回動操作に必要なトルクを、略９０度毎のどの係合状態から回転させてもほぼ一定にできる。
【００２２】
その他は、第１の実施の形態と同様である。
この発明の第４の実施の形態を図１４から図１８に示す。すなわち、第３の実施の形態において、ソケット本体１の係合凸部１３は、回転子２のランプピン挿通溝１１以外の係合凹部６の幅に適合させて、回転子２の回転中心に関し対称位置およびそれらの間の一方の３箇所に形成している。すなわち、突出部１４ａ、１４ｂの係合凸部１３に加えて、突出部１４ｃの外面にも係合凸部１３を形成している。
【００２３】
この実施の形態によれば、ランプピン挿通溝を係合凹部として利用できない場合に、ランプ着脱位置での回転トルク変化量を大きくできるからより明確な操作感が得られ、その位置確認が容易になる。
その他は、第３の実施の形態と同様である。
【００２４】
【発明の効果】
請求項１記載の回転式ソケットによれば、回転子の係合凹部の形状を従来の縦溝から変更したことにより、円筒状の壁部の肉厚を薄くすることができ、ソケット本体の係合凸部と同等の弾性変形が可能となすことができるため、係合凹部と係合凸部が嵌合する際のたわみ量を大きくできるので、明快なクリック感触とクリック音を出すことができる。また９０度ごとにランプの着脱位置を設けたことで、従来のように３０度または４５度毎に比べ視覚的にも係止位置の確認が容易になる。
【００２５】
さらにランプの着脱操作において、ランプ装着状態から、ランプを回転させる離脱トルクはソケット本体の係合凸部と回転子の係合凹部の回動操作に必要なトルクと、ランプピンと導電接触子の係合部からの離脱トルクを利用することで、ランプ装着位置での回転トルク以上になるようにでき、ランプが装着しやすく安定した導通状態を得られる。
【００２６】
さらにランプピン挿通溝を係合凹部として利用できない場合に、回転子の回動操作に必要なトルクを、略９０度毎のどの係合状態から回転させてもほぼ一定にできる。
【００２７】
請求項２記載の回転式ソケットによれば、請求項１と同様な効果のほか、ランプピン挿通溝を係合凹部として利用できない場合に、ランプ着脱位置での回転トルクの変化量を大きくできるからより明確な操作感が得られ、その位置確認が容易になる。
【図面の簡単な説明】
【図１】この発明の第１の実施の形態の分解斜視図である。
【図２】回転式ソケットを示し、（ａ）は側面図、（ｂ）は正面図である。
【図３】（ａ）は回転子を外した状態の正面図、（ｂ）は係合凸部を有する係合部の斜視図である。
【図４】断面側面図である。
【図５】回転子を示し、（ａ）は外側をみた斜視図、（ｂ）は内側をみた斜視図である。
【図６】動作状態を示し、（ａ）はランプピンをランプピン挿通溝にスライドした状態の一部切欠正面図、（ｂ）はランプピンを回動したランプ装着状態の一部切欠正面図である。
【図７】第２の実施の形態の回転子を示し、（ａ）は外側からみた斜視図、（ｂ）は内側からみた斜視図である。
【図８】第３の実施の形態の分解斜視図である。
【図９】その回転式ソケットを示し、（ａ）は側面図、（ｂ）は正面図である。
【図１０】（ａ）は回転子を外した状態の正面図、（ｂ）は係合凸部を有する係合部の斜視図である。
【図１１】（ａ）は回転子を外側からみた斜視図、（ｂ）は内側からみた斜視図である。
【図１２】断面側面図である。
【図１３】動作状態を示し、（ａ）はランプピンをランプピン挿通溝にスライドした状態の一部切欠正面図、（ｂ）はランプピンを回動したランプ装着状態の一部切欠正面図である。
【図１４】この発明の第４の実施の形態の分解斜視図である。
【図１５】回転式ソケットを示し、（ａ）は側面図、（ｂ）は正面図である。
【図１６】（ａ）は回転子を外した状態の正面図、（ｂ）は係合凸部を有する係合部の斜視図である。
【図１７】断面側面図である。
【図１８】回転子を示し、（ａ）は外側をみた斜視図、（ｂ）は内側をみた斜視図である。
【図１９】従来例の回転子を示し、（ａ）は外側からみた斜視図、（ｂ）は内側からみた斜視図である。
【符号の説明】
１    ソケット本体
２    回転子
３    開口
４    導電接触子
５    ランプピン挿入溝
６    係合凹部
１１    ランプピン挿通溝
１３    係合凸部
１９    壁部
【図１】
0003681539.tif 000002
【図２】
0003681539.tif 000003
【図３】
0003681539.tif 000004
【図４】
0003681539.tif 000005
【図５】
0003681539.tif 000006
【図６】
0003681539.tif 000007
【図７】
0003681539.tif 000008
【図８】
0003681539.tif 000009
【図９】
0003681539.tif 000010
【図１０】
0003681539.tif 000011
【図１１】
0003681539.tif 000012
【図１２】
0003681539.tif 000013
【図１３】
0003681539.tif 000014
【図１４】
0003681539.tif 000015
【図１５】
0003681539.tif 000016
【図１６】
0003681539.tif 000017
【図１７】
0003681539.tif 000018
【図１８】
0003681539.tif 000019
【図１９】
0003681539.tif 000020